(57)【要約】【課題】ユーザーがグラフに関する詳細な情報を知得できる画像形成装置を提供する。【解決手段】画像形成装置１は、シートに画像を形成する。画像形成装置は、抽出部１１と、分析部１２と、出力部２０とを備える。抽出部１１は、グラフＧを含むページデータＰＤから、グラフＧを抽出する。分析部１２は、グラフＧを分析する。出力部２０は、分析部１２の分析結果を示す情報を出力する。分析部１２は、グラフＧを構成する複数の要素Ａ〜Ｄを分析して、複数の要素Ａ〜Ｄによってそれぞれ示される複数の数値Ｒａ〜Ｒｄを算出することが好ましい。分析部１２の分析結果を示す情報は、複数の数値Ｒａ〜Ｒｄを含むことが好ましい。【選択図】図１
2020127143.tif 000002
【特許請求の範囲】
【請求項１】
シートに画像を形成する画像形成装置であって、
グラフを含むページデータから、前記グラフを抽出する抽出部と、
前記グラフを分析する分析部と、
前記分析部の分析結果を示す情報を出力する出力部と
を備える、画像形成装置。
【請求項２】
前記分析部は、前記グラフを構成する複数の要素を分析して、前記複数の要素によってそれぞれ示される複数の数値を算出し、
前記分析部の分析結果を示す前記情報は、前記複数の数値を含む、請求項１に記載の画像形成装置。
【請求項３】
前記分析部は、前記グラフを構成する前記複数の要素の各々の面積と長さと位置とのうちの少なくとも１つに基づいて、前記複数の数値を算出する、請求項２に記載の画像形成装置。
【請求項４】
前記グラフを構成する複数の要素の各々に対応する文字の入力を受け付ける受付部をさらに備え、
前記出力部は、前記分析部の分析結果を示す前記情報と、前記文字とを出力する、請求項１から請求項３のいずれか１項に記載の画像形成装置。
【請求項５】
前記分析部は、前記グラフを構成する複数の要素の各々の色彩と模様と形状との少なくとも１つに基づいて、前記グラフを分析する、請求項１から請求項４のいずれか１項に記載の画像形成装置。
【請求項６】
前記グラフを構成する複数の要素の各々の色彩と模様と形状とサイズとの少なくとも１つに対する変更指示を受け付ける受付部と、
前記変更指示に基づいて、前記複数の要素の各々の前記色彩と前記模様と前記形状と前記サイズとの少なくとも１つを変更する変更部と
をさらに備える、請求項１から請求項３のいずれか１項に記載の画像形成装置。
【請求項７】
前記出力部は、前記グラフ及び前記分析結果を示す前記情報をシートに形成するか、又は、表示する、請求項１から請求項６のいずれか１項に記載の画像形成装置。
【発明の詳細な説明】
【技術分野】
【０００１】
本発明は、画像形成装置に関する。
【背景技術】
【０００２】
特許文献１に記載の情報処理装置では、入力された予定情報の集計が行われていた。そして、予定分類別の作業時間が一覧表示形式で表示されると共に、予定分類別の作業時間が円グラフ表示されていた。
【先行技術文献】
【特許文献】
【０００３】
【特許文献１】特開２００２−２４４９１号公報
【発明の概要】
【発明が解決しようとする課題】
【０００４】
しかしながら、一般的な論文等の原稿にグラフのみが表示されており、グラフに関する詳細な情報が記載されていない場合があった。
【０００５】
本発明は上記課題に鑑みてなされたものであり、その目的は、ユーザーがグラフに関する詳細な情報を知得できる画像形成装置を提供することにある。
【課題を解決するための手段】
【０００６】
本発明の観点によれば、画像形成装置は、シートに画像を形成する。画像形成装置は、抽出部と、分析部と、出力部とを備える。抽出部は、グラフを含むページデータから、前記グラフを抽出する。分析部は、前記グラフを分析する。出力部は、前記分析部の分析結果を示す情報を出力する。
【発明の効果】
【０００７】
本発明によれば、ユーザーがグラフに関する詳細な情報を知得できる。
【図面の簡単な説明】
【０００８】
【図１】本発明の実施形態１に係る画像形成装置を示す図である。
【図２】実施形態１に係る原稿の一例を示す図である。
【図３】実施形態１に係る変更画面を示す図である。
【図４】実施形態１に係る変更画面を示す図である。
【図５】実施形態１に係る要素の形状の変更前を示す図である。
【図６】実施形態１に係る要素の形状の変更の経過を示す図である。
【図７】実施形態１に係る要素の形状の変更後を示す図である。
【図８】実施形態１に係る画像形成装置が実行する処理を示すフローチャートである。
【図９】実施形態２に係る変更画面を示す図である。
【図１０】実施形態２に係る変更画面を示す図である。
【図１１】実施形態２に係る変更画面を示す図である。
【図１２】実施形態２に係る変更画面を示す図である。
【図１３】実施形態２に係る画像形成装置が実行する処理を示すフローチャートである。
【発明を実施するための形態】
【０００９】
以下、図面を参照して本発明の実施形態を説明する。ただし、本発明は以下の実施形態に限定されない。図中、同一又は相当部分については同一の参照符号を付して説明を繰り返さない。
【００１０】
（実施形態１）
まず、図１を参照して、実施形態１に係る画像形成装置１について説明する。図１は、画像形成装置１を示す図である。画像形成装置１は、制御部１０と、画像形成部２０と、読取部３０と、表示部４０とを備える。
【００１１】
制御部１０は、プロセッサー及び記憶部を備える。プロセッサーは、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）を含む。記憶部は、半導体メモリーのようなメモリーを備え、ＨＤＤ（Ｈａｒｄ  Ｄｉｓｋ  Ｄｒｉｖｅ）を備えてもよい。記憶部は、コンピュータープログラムを記憶している。制御部１０は、画像形成装置１の各要素を制御する。具体的には、制御部１０が、記憶部に格納されたコンピュータープログラムを実行することにより、画像形成部２０、読取部３０及び表示部４０を制御する。また、制御部１０は、記憶部に記憶されたコンピュータープログラムを実行することにより、抽出部１１、分析部１２、変更部１３、及び受付部１４として機能する。つまり、制御部１０は、抽出部１１、分析部１２、変更部１３、及び受付部１４を含む。抽出部１１、分析部１２、変更部１３、及び受付部１４の詳細については後述する。
【００１２】
画像形成部２０は、シートに画像を形成する。詳細には、画像形成部２０は、カセットから供給されたシートに画像を形成する。画像形成部２０は、感光体ドラムと、帯電部と、露光部と、現像部と、転写部と、クリーニング部と、除電部とを含む。感光体ドラム、帯電部、露光部、現像部、及び転写部によって、シートに画像が形成される。クリーニング部は、感光体ドラムの表面に残留しているトナーを除去する。除電部は、感光体ドラムの表面の残留電荷を除去する。画像形成部２０は、シートに画像を形成した後、シートを定着部に向けて送出する。定着部は、画像を加熱及び加圧してシートに定着させる。画像形成部２０は、「出力部」の一例に相当する。
【００１３】
読取部３０は、シートに形成された画像を読み取る。例えば、読取部３０は、原稿Ｐに形成された画像を読み取る。そして、読取部３０はページデータＰＤを生成する。原稿Ｐ及びページデータＰＤについては後述する。
【００１４】
表示部４０は、画像を表示すると共に、ユーザーからの操作を受け付ける。表示部４０は、ディスプレー４１及びタッチセンサー４２を備える。ディスプレー４１は、例えば、液晶パネル、又は有機エレクトロルミネッセンス（有機ＥＬ）パネルである。タッチセンサー４２は、ユーザーからの操作を受け付け、ユーザーの操作に応じた操作信号を制御部１０に入力する。タッチセンサー４２は、例えばディスプレー４１の表示面上に配置される。表示部４０は、「出力部」の一例に相当する。
【００１５】
次に、図２を参照して、原稿Ｐについて説明する。図２は、原稿Ｐの一例を示す図である。原稿Ｐは、テキストＴ及びグラフＧを含む。テキストＴは、文字を表す。文字は、例えば、ひらがな、カタカナ、漢字、及びアルファベットのような文字、数字、並びに記号のうちの少なくとも１つを含む。本実施形態において、グラフＧは円グラフである。なお、グラフＧは、棒グラフ、折れ線グラフ、又は帯グラフ等であってもよい。
【００１６】
次に、図２を参照して、ページデータＰＤについて説明する。本実施形態において、読取部３０が原稿Ｐに形成された画像を読み取って、ページデータＰＤを生成する。ページデータＰＤは、例えば、ビットマップイメージデータである。
【００１７】
読取部３０がページデータＰＤを生成したことに応じて、抽出部１１は、ページデータＰＤからグラフＧを抽出する。本実施形態において、ページデータＰＤには単数のグラフＧが含まれているため、抽出部１１は、ページデータＰＤから単数のグラフＧを抽出する。ただし、ページデータＰＤに複数のグラフＧが含まれている場合、抽出部１１は、ページデータＰＤから複数のグラフＧを抽出する。
【００１８】
以下、抽出部１１によるグラフＧの抽出方法について説明する。例えば、抽出部１１は、ページデータＰＤの画素値のレベルに基づいて、テキストＴとグラフＧとを区別する。そして、抽出部１１は、ページデータＰＤからグラフＧを検出し、ページデータＰＤからグラフＧを抽出する。
【００１９】
また、例えば、抽出部１１は、ボロノイ図を用いてページデータＰＤの領域を分割する。ボロノイ図はテキストＴとグラフＧとの間の背景領域に着目してテキストＴとグラフＧとの区切り線を生成する。そして、抽出部１１は、生成した区切り線に基づいてページデータＰＤからグラフＧを抽出する。
【００２０】
さらに、例えば、ユーザーが表示部４０に表示されたページデータＰＤに含まれるグラフＧを指定する。そして、抽出部１１は、ページデータＰＤからユーザーによって指定されたグラフＧを抽出する。
【００２１】
次に、分析部１２は、抽出部１１によって抽出されたグラフＧを分析する。そして、出力部は、分析部１２の分析結果を示す情報を出力する。従って、ページデータＰＤにグラフＧに関する詳細な情報が含まれていない場合であっても、ユーザーは、分析結果を示す情報を確認することで、グラフＧに関する詳細な情報を知得できる。その結果、ユーザーの利便性が向上する。
【００２２】
以下、分析部１２によるグラフＧの分析と、分析結果を示す情報について説明する。分析部１２は、グラフＧの種類を特定する。具体的には、例えば、分析部１２は、グラフＧに対して、いわゆる「エッジ検出処理」を施すことによって、グラフＧのエッジを検出する。エッジ検出処理は、例えば、公知のキャニー法（Ｃａｎｎｙ  ｅｄｇｅ  ｄｅｔｅｃｔｏｒ）でもよいし、公知の微分エッジ検出処理でもよい。分析部１２は、グラフＧのエッジを検出することによって、グラフＧを構成する複数の要素Ａ、Ｂ、Ｃ、Ｄを検出する。そして、分析部１２は、検出した複数の要素Ａ〜Ｄを分析してグラフＧの種類を特定する。
【００２３】
次に、分析部１２は、グラフＧを構成する複数の要素Ａ〜Ｄの各々の形状に基づいて、グラフＧを分析する。従って、ユーザーは、グラフＧに関する詳細な情報を知得できる。その結果、ユーザーの利便性がさらに向上する。
【００２４】
具体的には、分析部１２は、グラフＧを構成する複数の要素Ａ〜Ｄを分析して、複数の要素Ａ〜Ｄによってそれぞれ示される複数の数値を算出する。分析部１２の分析結果を示す情報は、複数の数値を含む。従って、ユーザーは、グラフに関するさらに詳細な情報を知得できる。その結果、ユーザーの利便性がさらに向上する。
【００２５】
より具体的には、分析部１２は、グラフＧを構成する複数の要素Ａ〜Ｄの各々の面積と長さと位置とのうちの少なくとも１つに基づいて、複数の数値を算出する。グラフＧの種類が円グラフである場合、分析部１２は、例えば、グラフＧを構成する複数の要素Ａ〜Ｄの各々の面積に基づいて、複数の数値を算出する。また、グラフＧの種類が棒グラフである場合、分析部１２は、例えば、グラフＧを構成する複数の要素Ａ〜Ｄの各々の長さに基づいて、複数の数値を算出する。さらに、グラフＧの種類が折れ線グラフである場合、分析部１２は、例えば、グラフＧを構成する複数の要素Ａ〜Ｄの各々の位置に基づいて、複数の数値を算出する。さらに、グラフＧの種類が帯グラフである場合、分析部１２は、例えば、グラフＧを構成する複数の要素Ａ〜Ｄの各々の面積に基づいて、複数の数値を算出する。従って、ユーザーは、グラフに関する精度のよい情報を知得できる。その結果、ユーザーの利便性がさらに向上する。
【００２６】
本実施形態において、まず、分析部１２は、グラフＧの種類が円グラフであることを特定する。そして、分析部１２は、グラフＧを構成する複数の要素Ａ〜Ｄの各々の面積に基づいて、複数の数値としての複数の要素Ａ〜Ｄの各々の面積の比率を算出する。従って、ページデータＰＤにグラフＧを構成する複数の要素Ａ〜Ｄの各々の面積の比率を示す情報が含まれていない場合であっても、ユーザーは、分析結果を示す情報を確認することで、グラフＧを構成する複数の要素Ａ〜Ｄの各々の面積の比率を示す情報を知得できる。その結果、ユーザーの利便性がさらに向上する。
【００２７】
次に、図３を参照して、分析部１２の分析結果を示す情報の出力について説明する。図３は、実施形態１に係る変更画面５０を示す図である。分析部１２がグラフＧを分析した後、制御部１０は、表示用データを生成する。表示用データは、変更画面５０を含む。変更画面５０には、グラフＧ及び分析部１２の分析結果を示す情報が含まれる。表示部４０は、表示用データを表示することで、変更画面５０を表示する。図３に示すように、変更画面５０では、分析部１２の分析結果を示す情報が表示される。分析部１２の分析結果を示す情報は、グラフＧを構成する複数の要素Ａ〜Ｄによってそれぞれ示される複数の数値としての複数の要素Ａ〜Ｄの各々の面積の比率Ｒａ、Ｒｂ、Ｒｃ、Ｒｄを含む。表示部４０が分析部１２の分析結果を示す情報を表示することは、「出力部が分析部１２の分析結果を示す情報を出力する」ことに相当する。従って、内容を理解しやすいグラフＧが表示される。その結果、ユーザーの利便性がさらに向上する。
【００２８】
変更画面５０は、グラフ表示領域５１、変更ボタン５２、ページデータ表示領域５３、ページ番号表示領域５４、グラフ情報欄５５ａ、キャンセルボタン５８及びＯＫボタン５９を含む。
【００２９】
グラフ表示領域５１には、抽出部１１によってページデータＰＤから抽出されたグラフＧが表示される。なお、抽出部１１に抽出されたグラフＧが複数である場合、グラフ表示領域５１には、抽出部１１に抽出された複数のグラフＧのうちの１つが表示される。
【００３０】
グラフ表示領域５１には、グラフＧを構成する複数の要素Ａ〜Ｄを識別するための識別情報Ｄａ〜Ｄｄが表示されている。具体的には、グラフ表示領域５１には、要素Ａを識別するための識別情報Ｄａとして「要素Ａ」が表示されている。また、要素Ｂを識別するための識別情報Ｄｂとして「要素Ｂ」が表示されている。さらに、要素Ｃを識別するための識別情報Ｄｃとして「要素Ｃ」が表示されている。さらに、要素Ｄを識別するための識別情報Ｄｄとして「要素Ｄ」が表示されている。
【００３１】
グラフ情報欄５５ａには、グラフＧの複数の要素Ａ〜Ｄによってそれぞれ示される複数の数値、つまり、グラフＧに関する詳細な情報が表示される。本実施形態において、グラフ情報欄５５ａには、複数の数値として、グラフＧのうちの要素Ａの面積の比率Ｒａ、グラフＧのうちの要素Ｂの面積の比率Ｒｂ、グラフＧのうちの要素Ｃの面積の比率Ｒｃ、及びグラフＧのうちの要素Ｄの面積の比率Ｒｄが表示される。
【００３２】
ページデータ表示領域５３には、縮小されたページデータＰＤが表示されている。具体的には、ページデータ表示領域５３には、グラフ表示領域５１に表示されているグラフＧを含むページデータＰＤが縮小して表示される。従って、グラフ表示領域５１に表示されるグラフＧのページデータＰＤでの大まかな位置がわかる。その結果、ユーザーの利便性が向上する。
【００３３】
変更ボタン５２は、グラフ表示領域５１に表示されているグラフＧを変更するためのボタンである。例えば、変更ボタン５２が選択されると、グラフ表示領域５１には、抽出部１１が抽出した他のグラフが表示される。グラフ表示領域５１に表示されたグラフＧが変更されることに応じて、グラフ情報欄５５ａ、ページデータ表示領域５３、及びページ番号表示領域５４の表示内容も変更される。具体的には、グラフ表示領域５１に表示されているグラフＧが他のグラフに変更される場合、グラフ情報欄５５ａには、他のグラフを構成する複数の要素によってそれぞれ示される複数の数値が表示される。また、ページデータ表示領域５３には、他のグラフを含むページデータＰＤが縮小されて表示される。そして、ページ番号表示領域５４には、他のグラフＧを含むページデータＰＤのページ番号が表示される。
【００３４】
次に、図４を参照して、グラフＧに付加される文字について説明する。図４は、実施形態１に係る変更画面５０を示す図である。グラフ情報欄５５ａは、文字入力欄Ｔａ、Ｔｂ、Ｔｃ、Ｔｄを含む。文字入力欄Ｔａは、グラフＧの要素Ａに対応する。文字入力欄Ｔｂは、グラフＧの要素Ｂに対応する。文字入力欄Ｔｃは、グラフＧの要素Ｃに対応する。文字入力欄Ｔｄは、グラフＧの要素Ｄに対応する。文字入力欄Ｔａ〜Ｔｄに文字が入力されることは、受付部１４が、グラフＧを構成する複数の要素Ａ〜Ｄの各々に対応する文字の入力を受け付けることに相当する。変更部１３は、文字入力欄Ｔａ〜Ｔｄに入力された文字を、グラフＧの対応する要素Ａ〜Ｄの各々に付加する。従って、複数の要素Ａ〜Ｄのそれぞれの内容を理解しやすくなる。その結果、ユーザーの利便性がさらに向上する。
【００３５】
本実施形態において、文字入力欄Ｔａに文字Ｃａとして「リンゴ」が入力されている。従って、グラフＧの要素Ａには、文字Ｃａとして「リンゴ」が付加されている。また、文字入力欄Ｔｂに文字Ｃｂとして「ブドウ」が入力されている。従って、グラフＧの要素Ｂには、文字Ｃｂとして「ブドウ」が付加されている。
【００３６】
変更画面５０は、表示内容設定欄５６と確定ボタン５７とキャンセルボタン５８とＯＫボタン５９とを含む。表示内容設定欄５６では、グラフＧに付加される情報が設定される。表示内容設定欄５６は、比率ボタン６４と、数値ボタン６５と、係数入力欄６６と、ＯＦＦボタン６７とを含む。比率ボタン６４は、グラフＧに比率Ｒａ〜Ｒｄを付加するためのボタンである。本実施形態において、比率ボタン６４が選択されている。従って、グラフＧには要素Ａ〜Ｄの各々の比率Ｒａ〜Ｒｄが付加されている。
【００３７】
数値ボタン６５は、グラフＧに数値を付加するためのボタンである。数値は、比率Ｒａ〜Ｒｄに係数を掛けて算出される。係数入力欄６６には、ユーザーが任意の係数を入力して、係数を指定する。以下、具体例を挙げて説明する。例えば、グラフＧが１００人に取ったアンケートの結果を示す場合、グラフＧの１％は「１人」に相当する。従って、ユーザーは、係数入力欄６６に「１」を入力する。変更部１３は、比率Ｒａ〜Ｒｄのいずれかに、「１００」と、係数としての「１」とを掛けて、数値を算出する。そして、変更部１３は、対応する要素Ａ〜Ｄの各々に算出した数値を付加する。この場合、例えば、要素Ａには「３８」が付加される。従って、ユーザーは、グラフＧに数値を付加することができる。その結果、ユーザーの利便性がさらに向上する。ＯＦＦボタン６７は、グラフＧに情報を付加しないためのボタンである。
【００３８】
確定ボタン５７は、グラフ表示領域５１に表示されているグラフＧの状態を確定するためのボタンである。確定ボタン５７が選択されると、グラフ表示領域５１に表示されているグラフＧの状態が確定される。キャンセルボタン５８は、グラフＧの態様の変更をキャンセルするためのボタンである。キャンセルボタン５８が選択されると、変更画面５０が閉じられる。
【００３９】
ＯＫボタン５９は、ユーザーがグラフ表示領域５１に表示されているグラフＧの状態に同意したことを画像形成装置１に通知するためのボタンである。ＯＫボタン５９が選択されると、変更部１３は、ページデータＰＤに含まれるグラフＧをグラフ表示領域５１に表示されている状態のグラフＧに置き換えて、新たなページデータＰＤを生成する。
【００４０】
画像形成部２０は、新たなページデータＰＤに基づいて、テキストＴ、グラフ表示領域５１に表示されている状態のグラフＧ、すなわち、グラフＧと分析部１２の分析結果を示す情報としての比率Ｒａ〜Ｒｄと、文字Ｃａ、Ｃｂとをシートに形成する。従って、複数の要素Ａ〜Ｄのそれぞれの内容を理解しやすくなる。その結果、ユーザーの利便性がさらに向上する。画像形成部２０が分析部１２の分析結果を示す情報としての比率Ｒａ〜Ｒｄをシートに形成することは、「出力部が分析部１２の分析結果を示す情報を出力する」ことに相当する。
【００４１】
なお、識別情報Ｄａ〜Ｄｄはシートに形成されない。ただし、ユーザーが識別情報Ｄａ〜Ｄｄをシートに形成するように設定している場合、変更部１３は、グラフＧに識別情報Ｄａ〜Ｄｄを付加する。そして、画像形成部２０は、分析部１２の分析結果を示す情報としての比率Ｒａ〜Ｒｄと、文字Ｃａ、Ｃｂとに加えて、識別情報Ｄａ〜Ｄｄをシートに形成する。
【００４２】
次に、図５〜図７を参照して、複数の要素Ａ〜Ｄの各々の形状の変更について説明する。図５は、要素Ａの形状の変更前を示す。グラフ表示領域５１に表示されているグラフＧの複数の要素Ａ〜Ｄのうちのいずれかに対する接触操作が検出されることに応じて、制御部１０は、接触操作が検出された要素Ａ〜Ｄのうちのいずれかを指定する。要素Ａ〜Ｄのうちのいずれかを指定するための接触操作は、例えばタップ操作である。
【００４３】
制御部１０は、表示部４０を制御して、指定した複数の要素Ａ〜Ｄのいずれかの複数のエッジのうち、指定した複数の要素Ａ〜Ｄのいずれかと、指定した複数の要素Ａ〜Ｄのいずれかの時計回りで次に位置する要素Ａ〜Ｄのいずれかとの境界に相当するエッジに重畳して操作子Ｍを表示させる。本実施形態において、要素Ａに対する接触操作が検出されると、制御部１０は、要素Ａを指定する。要素Ｂは、時計回りで要素Ａの次に位置する。従って、制御部１０は、表示部４０を制御して、要素Ａと要素Ｂとの境界に相当するエッジに重畳して操作子Ｍを表示させる。
【００４４】
図６は、要素Ａの形状の変更の経過を示す。操作子Ｍに対する接触操作が検出されると、受付部１４は、指定された要素Ａ〜Ｄのうちのいずれかの形状とサイズとのうちの少なくとも１つに対する変更指示を受け付ける。操作子Ｍに対する接触操作は、変更指示に相当する。変更部１３は、変更指示、すなわち検出された操作子Ｍに対する接触操作に基づいて、要素Ａ〜Ｄの各々の形状とサイズとの少なくとも１つを変更する。要素Ａ〜Ｄの各々の形状を変更するための操作子Ｍに対する接触操作は、例えばドラッグ操作である。従って、ページデータＰＤに変更可能なグラフＧが含まれていない場合であっても、グラフＧを構成する複数の要素Ａ〜Ｄの各々の形状とサイズとの少なくとも１つを変更できる。その結果、ユーザーの利便性がさらに向上する。
【００４５】
本実施形態では、グラフＧが円グラフであるため、受付部１４は、接触操作が検出された要素Ａ〜Ｄのうちのいずれかの形状に対する変更指示を受け付ける。なお、例えば、グラフＧが棒グラフ、又は帯グラフである場合、受付部１４は、要素Ａ〜Ｄの各々のサイズに対する変更指示を受け付ける。また、例えば、グラフＧが折れ線グラフである場合、受付部１４は、要素Ａ〜Ｄの形状に対する変更指示を受け付ける。
【００４６】
図６に示すように、本実施形態において、操作子Ｍに対して時計回り方向に移動するような接触操作が検出されている。従って、変更部１３は、要素Ａと要素Ｂとの境界が時計回り方向に移動するように、要素Ａの形状を変更する。加えて、変更部１３は、要素Ｂと要素Ｃとの境界に相当するエッジ、及び、要素Ｃと要素Ｄとの境界に相当するエッジが時計回り方向に移動するように、要素Ｂ〜Ｄの各々の形状を変更する。
【００４７】
要素Ａ〜Ｄの各々の形状が変更されることに応じて、要素Ａ〜Ｄの各々の面積が変更される。要素Ａ〜Ｄの各々の面積が変更されることに応じて、グラフ情報欄５５ａの比率Ｒａ〜Ｒｄがそれぞれ変更される。従って、ユーザーは、比率Ｒａ〜Ｒｄを確認しつつ、要素Ａ〜Ｄの形状を変更できる。その結果、ユーザーの利便性がさらに向上する。
【００４８】
図７は、要素Ａの形状の変更後を示す。操作子Ｍに対する接触操作の検出が終了すると、要素Ａ〜Ｄの形状が決定される。そして、要素Ａ〜Ｄの各々の比率Ｒａ〜Ｒｄがそれぞれ決定される。要素Ａ〜Ｄの形状が決定された後に、さらに要素Ａ〜Ｄのいずれかに対する接触操作が検出される場合、接触操作が検出された要素Ａ〜Ｄのいずれかの形状がさらに変更される。
【００４９】
ＯＫボタン５９が選択されると、変更部１３は、ページデータＰＤに含まれるグラフＧをグラフ表示領域５１に表示されている状態のグラフＧに置き換えて、新たなページデータＰＤを生成する。そして、画像形成部２０は、新たなページデータＰＤに基づいて、テキストＴ、グラフ表示領域５１に表示されている状態のグラフＧ及び分析結果を示す情報としての比率Ｒａ〜Ｒｄとをシートに形成する。従って、内容を理解しやすいグラフＧをシートに形成することができる。その結果、ユーザーの利便性がさらに向上する。
【００５０】
次に、図８を参照して、実施形態１に係る画像形成装置１が実行する処理について説明する。図８は、実施形態１に係る画像形成装置１が実行する処理を示すフローチャートである。ステップＳ１０において、受付部１４は、ページデータＰＤを受け付ける。例えば、制御部１０は、読取部３０を制御して原稿Ｐの画像を読み取らせる。その結果、読取部３０が、原稿Ｐの画像を読み取ってページデータＰＤを生成する。受付部１４は、読取部３０が生成したページデータＰＤを受け付ける。受付部１４が受け付けたページデータＰＤは、制御部１０の記憶部に格納される。
【００５１】
次に、ステップＳ１５において、分析部１２は、ページデータＰＤを分析する。分析部１２は、ページデータＰＤを分析して、ページデータＰＤからグラフＧを検出する。次に、ステップＳ２０において、抽出部１１は、ページデータＰＤからステップＳ１５で検出されたグラフＧを抽出する。
【００５２】
次に、ステップＳ２５において、分析部１２は、グラフＧを分析する。まず、分析部１２は、グラフＧの種類を分析する。本実施形態において、分析部１２は、グラフＧの種類が円グラフであることを分析する。そして、分析部１２は、グラフＧを構成する複数の要素Ａ〜Ｄを分析して、複数の要素Ａ〜Ｄによってそれぞれ示される複数の数値を算出する。本実施形態において、分析部１２は、グラフＧを構成する複数の要素Ａ〜Ｄの各々の面積に基づいて、複数の数値としての複数の要素Ａ〜Ｄの各々の面積の比率Ｒａ〜Ｒｄを算出する。
【００５３】
次に、ステップＳ３０において、制御部１０は、出力部が分析部１２の分析結果を出力するための出力用データを生成する。すなわち、制御部１０は、分析部１２の分析結果を示す情報を表示部４０に表示させるための表示用データを生成する。表示用データには、分析部１２の分析結果を示す情報が含まれる。次に、ステップＳ３５において、制御部１０は、表示部４０を制御して、ステップＳ３０で生成された表示用データを表示部４０に表示させる。その結果、表示部４０は、表示用データを表示する。
【００５４】
次に、ステップＳ４０において、受付部１４は、グラフＧを構成する複数の要素Ａ〜Ｄの各々に対応する文字Ｃａ、Ｃｂの入力を受け付けたか否かを判断する。すなわち、受付部１４は、文字入力欄Ｔａ〜Ｔｄに、文字Ｃａ、Ｃｂが入力されたか否かを判断する。
【００５５】
ステップＳ４０で肯定的判定（Ｙｅｓ）がされる場合、処理は、ステップＳ４５に進む。ステップＳ４５において、変更部１３は、ステップＳ４０で受付部１４が受け付けた文字Ｃａ、ＣｂをグラフＧに付加する。一方、ステップＳ４０で否定的判定（Ｎｏ）がされる場合、処理は、ステップＳ５０に進む。
【００５６】
ステップＳ５０において、受付部１４は、グラフＧを構成する複数の要素Ａ〜Ｄの各々の形状又はサイズに対する変更指示を受け付けたか否かを判断する。すなわち、受付部１４は、グラフＧを構成する複数の要素Ａ〜Ｄに対する接触操作が検出されたか否かを判断する。
【００５７】
ステップＳ５０で肯定的判定（Ｙｅｓ）がされる場合、処理は、ステップＳ５５に進む。ステップＳ５５において、変更部１３は、ステップＳ５０で受付部１４が受け付けた変更指示に基づいて、グラフＧを構成する複数の要素Ａ〜Ｄの各々の形状を変更する。一方、ステップＳ５０で否定的判定（Ｎｏ）がされる場合、処理は、ステップＳ６０に進む。
【００５８】
ステップＳ６０において、変更部１３は、ページデータＰＤに含まれるグラフＧをグラフ表示領域５１に表示されている状態のグラフＧに置き換えて、新たなページデータＰＤを生成する。そして、画像形成部２０は、新たなページデータＰＤに基づいて、テキストＴとグラフＧと分析部１２の分析結果を示す情報とをシートに形成する。
【００５９】
以上、図８を参照して説明したように、本実施形態によれば、ページデータＰＤに含まれるグラフＧの分析結果を示す情報がシートに形成される。従って、容易に、ページデータＰＤにグラフＧに関する詳細な情報を追加することができる。その結果、ユーザーの利便性が向上する。
【００６０】
また、本実施形態によれば、新たなページデータＰＤに基づいてテキストＴとグラフＧと分析部１２の分析結果を示す情報とがシートに形成される。従って、品質を損なうことなく、シートに分析部１２の分析結果を示す情報をシートに形成できる。その結果、ユーザーの利便性がさらに向上する。
【００６１】
（実施形態２）
次に、図１、２、及び図９〜１３を参照して実施形態２に係る画像形成装置１について説明する。実施形態２では、実施形態１に係るグラフＧを構成する複数の要素Ａ〜Ｄの各々の色彩と模様との少なくとも１つが分析される点で、実施形態２は実施形態１と異なる。以下、実施形態２について、実施形態１と異なる事項について説明し、実施形態１と重複する部分についての説明は割愛する。
【００６２】
まず、図２を参照して、グラフＧの分析について説明する。グラフＧの種類が特定されたあと、分析部１２は、グラフＧを構成する複数の要素Ａ〜Ｄの各々の色彩と模様との少なくとも１つに基づいて、グラフＧを分析する。従って、ユーザーは、グラフＧに関するさらに詳細な情報を知得できる。その結果、ユーザーの利便性がさらに向上する。
【００６３】
次に、図９を参照して、複数の要素Ａ〜Ｄの各々の色彩の分析について説明する。図９は、実施形態２に係る変更画面５０を示す。図９に示すように、実施形態２に係る変更画面５０は、グラフ情報欄５５ｂを含む。分析部１２は、グラフＧを構成する複数の要素Ａ〜Ｄの各々の色彩に基づいて、グラフＧを分析する。従って、ユーザーは、グラフＧに関するさらに詳細な情報を知得できる。その結果、ユーザーの利便性がさらに向上する。グラフ情報欄５５ｂには、グラフＧの複数の要素Ａ〜Ｄ及び背景Ｅの各々の色彩、つまり、グラフＧに関する詳細な情報が表示される。
【００６４】
グラフ情報欄５５ｂは、変更前色彩表示欄Ｐａ、Ｐｂ、Ｐｃ、Ｐｄ、Ｐｅを含む。変更前色彩表示欄Ｐａは、グラフＧの要素Ａに対応する。変更前色彩表示欄Ｐｂは、グラフＧの要素Ｂに対応する。変更前色彩表示欄Ｐｃは、グラフＧの要素Ｃに対応する。変更前色彩表示欄Ｐｄは、グラフＧの要素Ｄに対応する。変更前色彩表示欄Ｐｅは、グラフＧの背景Ｅに対応する。
【００６５】
変更前色彩表示欄Ｐａ〜Ｐｅには、分析部１２の分析結果を示す情報として、グラフＧの要素Ａ〜Ｄ及び背景Ｅの色彩が表示される。具体的には、変更前色彩表示欄Ｐａには、要素Ａの色彩が表示される。変更前色彩表示欄Ｐｂには、要素Ｂの色彩が表示される。変更前色彩表示欄Ｐｃには、要素Ｃの色彩が表示される。変更前色彩表示欄Ｐｄには、要素Ｄの色彩が表示される。変更前色彩表示欄Ｐｅには、背景Ｅの色彩が表示される。従って、複数の要素Ａ〜Ｄ及び背景Ｅのそれぞれの内容を理解しやすくなる。その結果、ユーザーの利便性がさらに向上する。
【００６６】
次に、図１０を参照して、複数の要素Ａ〜Ｄ及び背景Ｅの各々の色彩の変更について説明する。グラフ情報欄５５ｂは、変更後色彩表示欄Ｑａ、Ｑｂ、Ｑｃ、Ｑｄ、Ｑｅをさらに含む。変更後色彩表示欄Ｑａは、グラフＧの要素Ａに対応する。変更後色彩表示欄Ｑｂは、グラフＧの要素Ｂに対応する。変更後色彩表示欄Ｑｃは、グラフＧの要素Ｃに対応する。変更後色彩表示欄Ｑｄは、グラフＧの要素Ｄに対応する。変更後色彩表示欄Ｑｅは、グラフＧの背景Ｅに対応する。
【００６７】
グラフＧを構成する複数の要素Ａ〜Ｄと背景Ｅとのうちのいずれかに対する接触操作が検出されることに応じて、制御部１０は、接触操作が検出された要素Ａ〜Ｄと背景Ｅとのうちのいずれかを指定する。要素Ａ〜Ｄと背景Ｅとのうちのいずれかを指定するための接触操作は、例えばタップ操作である。
【００６８】
次に、受付部１４は、指定された要素Ａ〜Ｄと背景Ｅとのうちのいずれかの色彩に対する変更指示を受け付ける。具体的には、例えば、受付部１４は、色彩に対する変更指示として、ＲＧＢ値を受け付ける。なお、受付部１４は、例えば、表示部４０を制御して、候補となる複数の色彩を表示させ、変更指示として、候補となる複数の色彩のうちから１の選択を受け付けてもよい。そして、変更部１３は、受付部１４が受け付けた変更指示に基づいて、複数の要素Ａ〜Ｄ及び背景Ｅの各々の色彩を変更する。従って、ページデータＰＤに変更可能なグラフＧが含まれていない場合であっても、グラフＧを構成する複数の要素Ａ〜Ｄ及び背景Ｅの各々の色彩を変更できる。その結果、ユーザーの利便性がさらに向上する。
【００６９】
変更後色彩表示欄Ｑａ〜Ｑｅには、グラフＧの要素Ａ〜Ｄ及び背景Ｅの変更後の色彩が表示される。従って、ユーザーは、色彩が変更される前の要素Ａ〜Ｄと背景Ｅとの各々の色彩と、色彩が変更された後の要素Ａ〜Ｄと背景Ｅとの各々の色彩とを比較できる。その結果、ユーザーの利便性がさらに向上する。
【００７０】
本実施形態において、要素Ａに対する接触操作が検出され、受付部１４は、要素Ａの色彩に対する変更指示を受け付ける。変更部１３は、受付部１４が受け付けた変更指示に基づいて、要素Ａの色彩を変更する。図１０の要素Ａに付されたハッチングは、要素Ａの色彩を示す。変更後色彩表示欄Ｑａには、変更された要素Ａの色彩と同じ色彩が表示される。また、要素Ｃに対する接触操作が検出され、受付部１４は、要素Ｃの色彩に対する変更指示を受け付ける。変更部１３は、受付部１４が受け付けた変更指示に基づいて、要素Ｃの色彩を変更する。図１０の要素Ｃに付されたハッチングは、要素Ｃの色彩を示す。変更後色彩表示欄Ｑｃには、変更された要素Ｃの色彩と同じ色彩が表示される。
【００７１】
ＯＫボタン５９が選択されると、変更部１３は、ページデータＰＤに含まれるグラフＧをグラフ表示領域５１に表示されている状態のグラフＧに置き換えて、新たなページデータＰＤを生成する。そして画像形成部２０は、新たなページデータＰＤに基づいて、テキストＴとグラフ表示領域５１に表示されている状態のグラフＧをシートに形成する。従って、要素Ａ〜Ｄ及び背景Ｅの各々を区別し易いグラフＧをシートに形成することができる。その結果、ユーザーの利便性がさらに向上する。
【００７２】
次に、図１１を参照して、複数の要素Ａ〜Ｄの各々の模様の分析について説明する。図１１は、変更画面５０を示す。図１１に示すように、変更画面５０は、グラフ情報欄５５ｃを含む。分析部１２は、グラフＧを構成する複数の要素Ａ〜Ｄの各々の模様に基づいて、グラフＧを分析する。従って、ユーザーは、グラフＧに関するさらに詳細な情報を知得できる。その結果、ユーザーの利便性がさらに向上する。グラフ情報欄５５ｃには、グラフＧの複数の要素Ａ〜Ｄの各々と背景Ｅとの模様、つまり、グラフＧに関する詳細な情報が表示される。
【００７３】
グラフ情報欄５５ｃは、変更前模様表示欄Ｘａ、Ｘｂ、Ｘｃ、Ｘｄ、Ｘｅを含む。変更前模様表示欄Ｘａは、グラフＧの要素Ａに対応する。変更前模様表示欄Ｘｂは、グラフＧの要素Ｂに対応する。変更前模様表示欄Ｘｃは、グラフＧの要素Ｃに対応する。変更前模様表示欄Ｘｄは、グラフＧの要素Ｄに対応する。変更前模様表示欄Ｘｅは、グラフＧの背景Ｅに対応する。
【００７４】
変更前模様表示欄Ｘａ〜Ｘｅには、分析部１２の分析結果を示す情報として、グラフＧの要素Ａ〜Ｄ及びグラフＧの背景Ｅの模様が表示される。具体的には、変更前模様表示欄Ｘａには、要素Ａの模様が表示される。変更前模様表示欄Ｘｂには、要素Ｂの模様が表示される。変更前模様表示欄Ｘｃには、要素Ｃの模様が表示される。変更前模様表示欄Ｘｄには、要素Ｄの模様が表示される。変更前模様表示欄Ｘｅには、背景Ｅの模様が表示される。従って、複数の要素Ａ〜Ｄ及び背景Ｅのそれぞれの内容を理解しやすくなる。その結果、ユーザーの利便性がさらに向上する。
【００７５】
次に、図１２を参照して、複数の要素Ａ〜Ｄの各々の模様の変更について説明する。グラフ情報欄５５ｃは、変更後模様表示欄Ｙａ、Ｙｂ、Ｙｃ、Ｙｄ、Ｙｅを含さらに含む。変更後模様表示欄Ｙａは、グラフＧの要素Ａに対応する。変更後模様表示欄Ｙｂは、グラフＧの要素Ｂに対応する。変更後模様表示欄Ｙｃは、グラフＧの要素Ｃに対応する。変更後模様表示欄Ｙｄは、グラフＧの要素Ｄに対応する。変更後模様表示欄Ｙｅは、グラフＧの背景Ｅに対応する。
【００７６】
グラフＧを構成する複数の要素Ａ〜Ｄと背景Ｅとのうちのいずれかに対する接触操作が検出されることに応じて制御部１０は、接触操作が検出された要素Ａ〜Ｄと背景Ｅとのうちのいずれかを指定する。要素Ａ〜Ｄと背景Ｅとのうちのいずれかを指定するための接触操作は、例えばタップ操作である。
【００７７】
次に、受付部１４は、指定された要素Ａ〜Ｄと背景Ｅとのうちのいずれかの模様に対する変更指示を受け付ける。具体的には、例えば、受付部１４は、表示部４０を制御して、候補となる複数の模様を表示させ、変更指示として、候補となる複数の模様のうちから１の選択を受け付ける。
【００７８】
そして、変更部１３は、受付部１４が受け付けた変更指示に基づいて、複数の要素Ａ〜Ｄの各々の模様を変更する。従って、ページデータＰＤに変更可能なグラフＧが含まれていない場合であっても、グラフＧを構成する複数の要素Ａ〜Ｄの各々の模様を変更できる。その結果、ユーザーの利便性がさらに向上する。
【００７９】
変更後模様表示欄Ｙａ〜Ｙｅには、グラフＧの要素Ａ〜Ｄ及び背景Ｅの変更後の模様が表示される。従って、ユーザーは、模様が変更される前の要素Ａ〜Ｄと背景Ｅとの各々の模様と、模様が変更された後の要素Ａ〜Ｄと背景Ｅとの各々の模様とを比較できる。その結果、ユーザーの利便性がさらに向上する。
【００８０】
本実施形態において、要素Ａに対する接触操作が検出され、受付部１４は、要素Ａの模様に対する変更指示を受け付ける。変更部１３は、受付部１４が受け付けた変更指示に基づいて、要素Ａの模様を変更する。図１２の要素Ａに付されたハッチングは、要素Ａの模様を示す。変更後模様表示欄Ｙａには、変更された要素Ａの模様と同じ模様が表示される。また、要素Ｃに対する接触操作が検出され、受付部１４は、要素Ｃの模様に対する変更指示を受け付ける。変更部１３は、受付部１４が受け付けた変更指示に基づいて、要素Ｃの模様を変更する。図１２の要素Ｃに付されたハッチングは、要素Ｃの模様を示す。変更後模様表示欄Ｙｃには、変更された要素Ｃの模様と同じ模様が表示される。
【００８１】
ＯＫボタン５９が選択されると、変更部１３は、ページデータＰＤに含まれるグラフＧをグラフ表示領域５１に表示されている状態のグラフＧに置き換えて、新たなページデータＰＤを生成する。そして画像形成部２０は、新たなページデータＰＤに基づいて、テキストＴとグラフ表示領域５１に表示されている状態のグラフＧとをシートに形成する。従って、要素Ａ〜Ｄの各々を区別し易いグラフＧをシートに形成することができる。その結果、ユーザーの利便性がさらに向上する。
【００８２】
次に、図１３を参照して、実施形態２に係る画像形成装置１が実行する処理について説明する。図１３は、画像形成装置１が実行する処理を示すフローチャートである。ステップＳ１１０〜ステップＳ１３５、ステップＳ１６０は、図８のステップＳ１０〜ステップＳ３５、ステップＳ６０と処理内容が同じであるため、説明を省略する。
【００８３】
ステップＳ１４０において、受付部１４は、グラフＧを構成する複数の要素Ａ〜Ｄの各々の色彩に対する変更指示を受け付けたか否かを判断する。すなわち、受付部１４は、グラフＧを構成する複数の要素Ａ〜Ｄに対する接触操作が検出されたか否かを判断する。
【００８４】
ステップＳ１４０で肯定的判定（Ｙｅｓ）がされる場合、処理は、ステップＳ１４５に進む。ステップＳ１４５において、変更部１３は、ステップＳ１４０で受付部１４が受け付けた変更指示に基づいて、グラフＧを構成する複数の要素Ａ〜Ｄの各々の色彩を変更する。一方、ステップＳ１４０で否定的判定（Ｎｏ）がされる場合、処理は、ステップＳ１５０に進む。
【００８５】
ステップＳ１５０において、受付部１４は、グラフＧを構成する複数の要素Ａ〜Ｄの各々の模様に対する変更指示を受け付けたか否かを判断する。すなわち、受付部１４は、グラフＧを構成する複数の要素Ａ〜Ｄに対する接触操作が検出されたか否かを判断する。
【００８６】
ステップＳ１５０で肯定的判定（Ｙｅｓ）がされる場合、処理は、ステップＳ１５５に進む。ステップＳ１５５において、変更部１３は、ステップＳ１５０で受付部１４が受け付けた変更指示に基づいて、グラフＧを構成する複数の要素Ａ〜Ｄの各々の模様を変更する。一方、ステップＳ１５０で否定的判定（Ｎｏ）がされる場合、処理は、ステップＳ１６０に進む。
【００８７】
以上、図１３を参照して説明したように、本実施形態によれば、ページデータＰＤに変更可能なグラフＧが含まれていない場合であっても、グラフＧを構成する複数の要素Ａ〜Ｄの各々の色彩と模様との少なくとも１つを変更できる。その結果、ユーザーの利便性が向上する。
【００８８】
また、本実施形態によれば、新たなページデータＰＤに基づいてテキストＴとグラフＧと分析部１２の分析結果を示す情報とがシートに形成される。従って、品質を損なうことなく、シートに分析部１２の分析結果を示す情報をシートに形成できる。その結果、ユーザーの利便性がさらに向上する。
【００８９】
以上、図面（図１〜図１３）を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００９０】
（１）図２を参照して説明したように、読取部３０が原稿Ｐの画像を読み取ってページデータＰＤを生成した。ただし、画像形成装置１は、外部装置からページデータＰＤの印刷ジョブを受領してもよい。印刷ジョブには、ＰＪＬ（Ｐｒｉｎｔ  Ｊｏｂ  Ｌａｎｇｕａｇｅ）によってグラフＧにフラグが立っている場合がある。この場合、抽出部１１は、フラグを参照してページデータＰＤからグラフＧを抽出してもよい。また、画像形成装置１が外部装置からページデータＰＤを受領し、受領したページデータＰＤにグラフＧがタグで埋め込まれている場合がある。この場合、抽出部１１は、タグを参照してグラフＧを抽出してもよい。
【００９１】
（２）図３を参照して説明したように、変更画面５０は、変更ボタン５２を含んだ。ただし、抽出部１１が単数のグラフＧを抽出していた場合、変更ボタン５２は変更画面５０に含まれなくてもよいし、変更ボタン５２をグレーアウトで表示し、変更ボタン５２を選択不能であることをユーザーに視覚的に認識させてもよい。
【００９２】
（３）図６を参照して説明したように、変更部１３は、要素Ａの面積が大きくなるように要素Ａの形状を変更する場合、要素Ｂ〜Ｄのそれぞれの面積が小さくなるように、要素Ｂ〜Ｄの形状を変更した。ただし、変更部１３が要素Ａの面積が大きくなるように要素Ａの形状を変更する場合、要素Ａの時計回りで次に位置する要素Ｂの面積のみが小さくなるように、要素Ｂの形状のみを変更してもよい。また、要素Ａの面積が小さくなるように要素Ａの形状を変更する場合、要素Ｂ〜Ｄのそれぞれの面積が大きくなるように、要素Ｂ〜Ｄの形状を変更してもよい。また、要素Ａの面積が小さくなるように要素Ａの形状を変更する場合、要素Ａの時計回りで次に位置する要素Ｂの面積のみが大きくなるように、要素Ｂの形状のみを変更してもよい。
【産業上の利用可能性】
【００９３】
本発明は、画像形成装置の分野に利用可能であり、産業上の利用可能性を有する。
【符号の説明】
【００９４】
１        画像形成装置
１０      制御部
１１      抽出部
１２      分析部
１３      変更部
１４      受付部
２０      画像形成部
３０      読取部
４０      表示部
ＰＤ      ページデータ
Ｇ        グラフ
Ｔ        テキスト
【図１】
2020127143.tif 000003
【図２】
2020127143.tif 000004
【図３】
2020127143.tif 000005
【図４】
2020127143.tif 000006
【図５】
2020127143.tif 000007
【図６】
2020127143.tif 000008
【図７】
2020127143.tif 000009
【図８】
2020127143.tif 000010
【図９】
2020127143.tif 000011
【図１０】
2020127143.tif 000012
【図１１】
2020127143.tif 000013
【図１２】
2020127143.tif 000014
【図１３】
2020127143.tif 000015